【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
会員登録を行った会員遊技者を個々に特定可能な会員遊技者特定情報と対応付けて、該会員遊技者に関する会員情報を管理する会員情報管理手段を備える管理装置と、
該管理装置と通信可能であり、
前記会員遊技者特定情報が記録された会員遊技者特定記録媒体を受け付けて、該受け付けた会員遊技者特定記録媒体から前記会員遊技者特定情報を読み取り、該読み取った会員遊技者特定情報から特定される会員情報を利用した取引の処理を行う会員遊技者特定記録媒体処理手段を備える遊技用装置と、
からなる遊技用システムにおいて、
前記管理装置は、
前記会員遊技者特定記録媒体から読み取られた会員遊技者特定情報から特定される会員情報を利用した取引を不可とする使用不可設定を設定する使用不可設定手段と、
該使用不可設定手段により使用不可設定が設定された会員遊技者特定記録媒体から読み取られた会員遊技者特定情報から特定される会員情報を利用した取引を再び可能とする使用可能設定を設定する使用可能設定手段と、を備え、
前記遊技用装置は、
前記会員遊技者特定記録媒体処理手段により読み取られた会員遊技者特定情報から特定される会員遊技者特定記録媒体が前記使用不可設定手段により使用不可設定が設定されているか否かの確認を前記管理装置に対して要求する確認要求手段を備え、
前記管理装置は、
前記確認要求手段からの要求に応じて、前記使用不可設定手段による設定に基づいて、前記会員遊技者特定記録媒体処理手段にて受け付けられている会員遊技者特定記録媒体が前記使用不可設定手段により使用不可設定が設定されているか否かを判定する判定手段と、
該判定手段による判定結果を要求元の遊技用装置に対して送信する判定結果送信手段と、を備え、
前記遊技用装置は、
前記判定結果送信手段から使用不可設定が設定されている旨の情報を受信したときに、前記会員遊技者特定記録媒体処理手段にて受け付けられている会員遊技者特定記録媒体から読み取られた会員遊技者特定情報から特定される会員情報を利用した取引を実行させない使用停止手段を備えることを特徴とする遊技用システム。
【請求項２】
請求項１に記載した遊技用システムであって、
前記管理装置は、前記使用不可設定手段により使用不可設定が設定されている会員遊技者特定記録媒体を特定可能な情報を一覧表示する会員遊技者特定記録媒体表示手段を備えることを特徴とする遊技用システム。
【請求項３】
請求項１又は２に記載した遊技用システムであって、
前記管理装置は、前記使用不可設定手段により使用不可設定が設定されている会員遊技者特定記録媒体に代わる会員遊技者特定記録媒体の発行が行われたときに、前記使用不可設定手段により使用不可設定が設定されている会員遊技者特定記録媒体から特定される会員遊技者に関する情報を抹消する会員遊技者特定記録媒体情報抹消手段を備えることを特徴とする遊技用システム。
【請求項４】
会員登録を行った会員遊技者を個々に特定可能な会員遊技者特定情報と対応付けて、該会員遊技者に関する会員情報を管理する会員情報管理手段を備え、前記会員遊技者特定情報が記録された会員遊技者特定記録媒体を受け付けて、該受け付けた会員遊技者特定記録媒体から前記会員遊技者特定情報を読み取り、該読み取った会員遊技者特定情報から特定される会員情報を利用した取引の処理を行う会員遊技者特定記録媒体処理手段を備える遊技用装置と通信可能な管理装置であって、
前記会員遊技者特定記録媒体から読み取られた会員遊技者特定情報から特定される会員情報を利用した取引を不可とする使用不可設定を設定する使用不可設定手段と、
該使用不可設定手段により使用不可設定が設定された会員遊技者特定記録媒体から読み取られた会員遊技者特定情報から特定される会員情報を利用した取引を再び可能とする使用可能設定を設定する使用可能設定手段と、
前記遊技用装置から送信されてきた、前記会員遊技者特定記録媒体処理手段により読み取られた会員遊技者特定情報から特定される会員遊技者特定記録媒体が前記使用不可設定手段により使用不可設定が設定されているか否かの確認要求に応じて、前記使用不可設定手段による設定に基づいて、前記会員遊技者特定記録媒体処理手段にて受け付けられている会員遊技者特定記録媒体が前記使用不可設定手段により使用不可設定が設定されているか否かを判定する判定手段と、
該判定手段による判定結果を要求元の遊技用装置に対して送信する判定結果送信手段と、
を備えることを特徴とする管理装置。
【手続補正２】
【補正対象書類名】明細書
【補正対象項目名】発明の名称
【補正方法】変更
【補正の内容】
【発明の名称】遊技用システム及び管理装置
【手続補正３】
【補正対象書類名】明細書
【補正対象項目名】０００１
【補正方法】変更
【補正の内容】
【０００１】
本発明は、会員登録を行った会員遊技者を個々に特定可能な会員遊技者特定情報と対応付けて、該会員遊技者に関する会員情報を管理する管理装置と、該管理装置と通信可能であり、前記会員遊技者特定情報が記録された会員遊技者特定記録媒体を受け付けて、該受け付けた会員遊技者特定記録媒体から前記会員遊技者特定情報を読み取り、該読み取った会員遊技者特定情報から特定される会員情報を利用した取引の処理を行う遊技用装置とからなり、前記会員遊技者特定記録媒体から読み取られた会員遊技者特定情報から特定される会員情報を利用した取引を不可とする使用不可設定，及び該使用不可設定が設定された会員遊技者特定記録媒体から読み取られた会員遊技者特定情報から特定される会員情報を利用した取引を再び可能とする使用可能設定が設定可能な遊技用システム及び管理装置に関する。
【手続補正４】
【補正対象書類名】明細書
【補正対象項目名】０００４
【補正方法】変更
【補正の内容】
【０００４】
しかしながら、前記従来の遊技用システムでは、会員遊技者が会員カードを紛失し、これに代わる会員カードの再発行処理がされた後に、前記紛失した会員カードが見つかった場合には、結果として再発行した会員カードが無駄になるというコスト面での課題があった。本発明は、このような背景のもとになされたものであり、その目的は、会員カードを紛失した場合、該紛失した会員カードの使用（例えば会員カードから読み取られた会員ＩＤから特定される会員情報を利用した取引）を停止させ、再度紛失した会員カードが見つかった場合には該会員カードの使用の停止を解除して再び使用を可能とすることのできる遊技用システム及び管理装置を提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
また請求項２に係る発明は、請求項１に記載した遊技用システム（１）であって、前記管理装置（５０）は、前記使用不可設定手段（入力装置５２及びディスプレイ５３）により使用不可設定が設定されている会員遊技者特定記録媒体（会員カード６）を特定可能な情報（会員ＩＤ）を一覧表示する会員遊技者特定記録媒体表示手段（ディスプレイ５３）を備えることを特徴とする遊技用システムである。
【手続補正７】
【補正対象書類名】明細書
【補正対象項目名】０００９
【補正方法】変更
【補正の内容】
【０００９】
また請求項３に係る発明は、請求項１又は２に記載した遊技用システム（１）であって、前記管理装置（５０）は、前記使用不可設定手段（入力装置５２及びディスプレイ５３）により使用不可設定が設定されている会員遊技者特定記録媒体（会員カード６）に代わる会員遊技者特定記録媒体の発行が行われたときに、前記使用不可設定手段により使用不可設定が設定されている会員遊技者特定記録媒体から特定される会員遊技者に関する情報を抹消する会員遊技者特定記録媒体情報抹消手段（制御部５４）を備えることを特徴とする遊技用システムである。
【手続補正８】
【補正対象書類名】明細書
【補正対象項目名】００１０
【補正方法】変更
【補正の内容】
【００１０】
さらに請求項４に係る発明は、会員登録を行った会員遊技者を個々に特定可能な会員遊技者特定情報（会員ＩＤ）と対応付けて、該会員遊技者に関する会員情報を管理する会員情報管理手段（ハードディスク５１）を備え、前記会員遊技者特定情報が記録された会員遊技者特定記録媒体（会員カード６）を受け付けて、該受け付けた会員遊技者特定記録媒体から前記会員遊技者特定情報を読み取り、該読み取った会員遊技者特定情報から特定される会員情報を利用した取引の処理を行う会員遊技者特定記録媒体処理手段（制御部２１及びカードリーダ２２，制御部３１及びカードリーダ３２，制御部４１及びカードリーダ４２）を備える遊技用装置（カードユニット２０，情報表示端末３０，ＰＯＳ装置４０）と通信可能な管理装置（５０）であって、前記会員遊技者特定記録媒体から読み取られた会員遊技者特定情報から特定される会員情報を利用した取引を不可とする使用不可設定を設定する使用不可設定手段（入力装置５２及びディスプレイ５３）と、該使用不可設定手段により使用不可設定が設定された会員遊技者特定記録媒体から読み取られた会員遊技者特定情報から特定される会員情報を利用した取引を再び可能とする使用可能設定を設定する使用可能設定手段（入力装置５２及びディスプレイ５３）と、前記遊技用装置から送信されてきた、前記会員遊技者特定記録媒体処理手段により読み取られた会員遊技者特定情報から特定される会員遊技者特定記録媒体が前記使用不可設定手段により使用不可設定が設定されているか否かの確認要求に応じて、前記使用不可設定手段による設定に基づいて、前記会員遊技者特定記録媒体処理手段にて受け付けられている会員遊技者特定記録媒体が前記使用不可設定手段により使用不可設定が設定されているか否かを判定する判定手段（制御部５４）と、該判定手段による判定結果を要求元の遊技用装置に対して送信する判定結果送信手段（場内通信部５５）と、を備えることを特徴とする管理装置である。
【手続補正９】
【補正対象書類名】明細書
【補正対象項目名】００１１
【補正方法】変更
【補正の内容】
【００１１】
本発明によれば、以下のような効果を奏する。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
また請求項２に係る遊技用システムによれば、使用不可と設定された会員遊技者特定記録媒体を特定可能な情報を管理してその一覧を表示することができるので、一見して使用不可と設定された会員遊技者特定記録媒体を把握することができる。
【手続補正１２】
【補正対象書類名】明細書
【補正対象項目名】００１５
【補正方法】変更
【補正の内容】
【００１５】
また請求項３に係る遊技用システムによれば、使用不可と設定された会員遊技者特定記録媒体は、これに代わる会員遊技者特定記録媒体の発行が行われたことに基づいて、該使用不可と設定された会員遊技者特定記録媒体に対応する情報が抹消されるので、遊技場は会員遊技者特定記録媒体を複数管理する必要がなくなる。
【手続補正１３】
【補正対象書類名】明細書
【補正対象項目名】００１６
【補正方法】変更
【補正の内容】
【００１６】
さらに請求項４に係る管理装置によれば、紛失した会員遊技者特定記録媒体を一時使用不可に設定し、該紛失した会員遊技者特定記録媒体が出てきたことにより、再度該会員遊技者特定記録媒体を使用可に設定できるので、遊技場は会員遊技者特定記録媒体の再発行にかかる無駄なコストを低減することができる。